(57)【要約】  腐敗を防ぐための温度管理を行う場合に、料理の種類に応じて調理を良好に行えるようにする。加熱調理器は、予約調理での料理ごとの加熱部（２２）に対する制御内容、および食材が腐食し易い温度よりも高い、料理ごとの適温を示す予約調理情報を記憶する記憶部（４１）を備え、加熱制御部（制御部３４）は、予約調理情報を参照し、調理中の期間の順序として、まず調理期間を設け、次に食材を適温に保温する適温保持期間を設ける。
2019053911.tif 000002
【特許請求の範囲】
【請求項１】
食材を収容する容器と、前記容器を加熱する加熱部と、前記食材の温度を検出する温度検出部と、前記加熱部の動作を制御する加熱制御部とを備え、予約調理を行う加熱調理器において、
前記予約調理での料理ごとの前記加熱制御部による前記加熱部の制御内容、および前記食材が腐食し易い温度よりも高い、料理ごとの適温保持期間の適温を示す予約調理情報を記憶する記憶部を備え、
前記加熱制御部は、前記予約調理の際に、設定された料理に応じた前記予約調理情報を参照し、調理中の期間の順序として、まず前記食材を加熱調理する調理期間を設け、次に前記食材を前記適温に保温する前記適温保持期間を設けることを特徴とする加熱調理器。
【請求項２】
前記加熱制御部は、前記予約調理の際に、設定された料理に応じた前記予約調理情報を参照し、前記適温保持期間の次に、予約調理の完了時刻に前記食材の温度が仕上げ温度に昇温した状態とする仕上げ期間を設けることを特徴とする請求項１に記載の加熱調理器。
【請求項３】
前記適温保持期間の前記適温は、肉を主とした料理の調理の場合は、野菜を主とした料理の調理の場合よりも高温となっていることを特徴とする請求項１または２に記載の加熱調理器。
【請求項４】
前記加熱制御部は、前記適温保持期間として、第１適温保持期間および前記第１適温保持期間に続く第２適温保持期間を設け、前記第１適温保持期間の適温は第２適温保持期間の適温よりも高くなっていることを特徴とする請求項１から３のいずれか１項に記載の加熱調理器。
【請求項５】
前記予約調理に加えて、予約を要せず、前記調理期間の後に前記適温保持期間を設けない通常調理が可能であり、
前記記憶部は、前記通常調理での料理ごとの前記加熱制御部による前記加熱部の制御内容を示す通常調理情報を記憶しており、
前記予約調理の前記調理期間は、前記通常調理の前記調理期間よりも短くなっていることを特徴とする請求項１から４のいずれか１項に記載の加熱調理器。
【請求項６】
前記適温保持期間の前記適温は、肉を主とした料理の調理では７５℃以上９８℃以下とすることを特徴とする請求項１から３のいずれか１項に記載の加熱調理器。
【請求項７】
前記適温保持期間の前記適温は、野菜を主とした料理の調理では５５℃以上７０℃未満とすることを特徴とする請求項１から３のいずれか１項に記載の加熱調理器。
【発明の詳細な説明】
【技術分野】
【０００１】
本発明は、食材を加熱調理する加熱調理器に関する。
【背景技術】
【０００２】
従来、特許文献１に記載されているように、ユーザが設定した予約時刻にまたは予約時間後に調理を完了させる、予約調理が可能な加熱調理器が知られている。【０００３】
予約調理を行った場合、予約時点から調理完了時刻（予約時刻または予約時間完了時刻）までの時間が長いと、加熱調理器内に雑菌が繁殖し、加熱調理器内の食材が腐敗してしまうことがある。この現象は、特に夏場等、加熱調理器周囲の温度が高い場合に顕著になる。【０００４】
そこで、特許文献１に記載の加熱調理器では、予約調理が予約された後に、食材を収容している鍋内の温度を雑菌が発生しない温度に加熱する加熱殺菌を行い、予約時刻の到達前に、設定された料理についての加熱を行うようにしている。
【先行技術文献】
【特許文献】
【０００５】
【特許文献１】国際公開公報「国際公開第２０１５／０６４３０７号公報」
【発明の概要】
【発明が解決しようとする課題】
【０００６】
ところが、予約調理では、予約時点がユーザの出勤前の早朝であり、調理完了時刻がユーザの帰宅後の夕方や夜である場合など、予約時点から調理完了時刻まで長時間になることが多い。このような場合には加熱殺菌の時間が長くなる。【０００７】
一方、加熱殺菌であっても、料理の種類によって適温が異なる。例えば、牛すじを調理する場合には、牛すじを柔らかくするために、比較的高温にて加熱殺菌するのが好ましい。また、ポトフの調理をする場合には、高温で加熱殺菌を行うと、食材が柔らかくなり過ぎたり変色したりするので、比較的低温にて加熱殺菌するのが好ましい。【０００８】
これに対し、上記従来の特許文献１に記載の構成では、加熱殺菌を料理の種類に関係なく一定の温度に行っているので、料理によっては仕上がり状態が劣化するという問題点を有している。この点は、加熱殺菌を行う場合に限らず、食材が腐敗し易い温度よりも高い温度を保持する、腐敗を防ぐための温度管理を行う場合においても同様である。【０００９】
したがって、本発明は、腐敗を防ぐための温度管理を行う場合において、料理の種類に応じて調理を良好に行うことができる加熱調理器の提供を目的としている。
【課題を解決するための手段】
【００１０】
上記の課題を解決するために、本発明の一態様に係る加熱調理器は、食材を収容する容器と、前記容器を加熱する加熱部と、前記食材の温度を検出する温度検出部と、前記加熱部の動作を制御する加熱制御部とを備え、予約調理を行う加熱調理器において、前記予約調理での料理ごとの前記加熱制御部による前記加熱部の制御内容、および前記食材が腐食し易い温度よりも高い、料理ごとの適温保持期間の適温を示す予約調理情報を記憶する記憶部を備え、前記加熱制御部は、前記予約調理の際に、設定された料理に応じた前記予約調理情報を参照し、調理中の期間の順序として、まず前記食材を加熱調理する調理期間を設け、次に前記食材を前記適温に保温する前記適温保持期間を設けることを特徴とする。
【発明の効果】
【００１１】
本発明の一態様によれば、食材の調理中に食材が腐敗する事態を防止することができる。また、適温保持期間では、単に、食材の腐敗を防止するだけでなく、食材を料理に応じた適温に保持しているので、例えば肉を主とした料理における肉や、野菜を主とした料理における野菜をさらに良好な状態に調理することができるという効果を奏する。
【図面の簡単な説明】
【００１２】
【図１】本発明の実施形態の加熱調理器の蓋体を閉じた状態の斜視図である。
【図２】図１に示した加熱調理器の蓋体を開いた状態の斜視図である。
【図３】図１に示した加熱調理器の制御装置の構成を示すブロック図である。
【図４】図１に示した加熱調理器の予約調理モードにおける経過時間と食材の温度との関係を示すグラフである。
【図５】本発明の他の実施形態の加熱調理器の予約調理モードにおける経過時間と温度との関係を示すグラフである。
【図６】本発明のさらに他の実施形態の加熱調理器の予約調理モードにおける経過時間と食材の温度との関係を示すグラフである。
【図７】本発明のさらに他の実施形態の加熱調理器の通常調理モードにおける経過時間と食材の温度との関係を示すグラフである。
【図８】本発明のさらに他の実施形態の予約調理モードにおける経過時間と食材の温度との関係を示すグラフである。
【図９】本発明のさらに他の実施形態の加熱調理器が組み込まれている通信システムの構成を示すブロック図である。
【図１０】図９に示した加熱調理器の制御システムの構成を示すブロック図である。
【図１１】図９に示したクラウドサーバシステム構成を示すブロック図である。
【図１２】図９に示した携帯端末装置のハードウェア構成を示すブロック図である。
【図１３】図９に示した携帯端末装置のシステム構成を示すブロック図である。
【図１４】図９に示した携帯端末装置による予約時刻変更の処理手順を示すフローチャートである。
【図１５】図１５の（ａ）〜（ｅ）は図９に示した携帯端末装置によって表示される各画面を示す図である。
【図１６】図９に示した通信システムの加熱調理器における、各現在時刻（予約変更時点）と予約変更可能な範囲との関係を示す説明図である。
【発明を実施するための形態】
【００１３】
〔実施形態１〕
本発明の実施形態を図面に基づいて以下に説明する。図１は、本発明の実施形態の加熱調理器の蓋体を閉じた状態の斜視図である。図２は、図１に示した加熱調理器の蓋体を開いた状態の斜視図である。
【００１４】
（加熱調理器の概要）
図１および図２に示すように、加熱調理器１は、調理器本体部１１、蓋体１２および内鍋（容器）１３を備えている。
【００１５】
（調理器本体部）
調理器本体部１１は、内鍋収容部２１、加熱部２２、温度センサ（温度検出部）２３および重量センサ（温度検出部）２４を備えている。
【００１６】
内鍋収容部２１は、調理器本体部１１に形成された凹部であり、内鍋（容器）１３を収容する。加熱部２２は、内鍋収容部２１に収容された内鍋１３すなわち食材を加熱する。加熱部２２は、例えば誘導加熱コイルからなるものの、これに限定されず、従来周知の加熱手段を使用可能である。温度センサ２３は内鍋１３の温度を検知する。重量センサ２４は、内鍋１３が収容している食材の重さを検出する。
【００１７】
（蓋体）
蓋体１２は、調理器本体部１１に開閉可能に取り付けられ、調理器本体部１１に収納された内鍋１３の開口を開閉するようになっている。蓋体１２は、外蓋３１、内蓋３２および撹拌機構３３を備えている。
【００１８】
外蓋３１は、ヒンジバネ３１ａを介して調理器本体部１１と連結されている。内蓋３２は、外蓋３１に着脱可能に取り付けられ、蓋体１２の閉状態において内鍋１３を塞ぐようになっている。
【００１９】
外蓋３１の内部には、制御部（加熱制御部、温度検出部）３４、モータ３５およびスピーカ３６が設けられている。
【００２０】
制御部３４は、ＣＰＵからなり、加熱調理器１における各種動作を制御する。制御部３４は、ＲＯＭ（Read Only Memory）が記憶しているプログラムや入力データ等に基づいて加熱部２２や撹拌機構３３等を制御し、選択された料理に応じた調理を加熱調理器１に実行させる。なお、制御部３４の配置場所は特に限定されず、例えば、調理器本体部１１に配置されていてもよい。モータ３５は撹拌機構３３を回転させる。スピーカ３６はユーザに情報を通知する音声を出力する。
【００２１】
外蓋３１の上面には、操作および表示のための操作・表示部３７が設けられている。操作・表示部３７は、表示部３７１を有し、表示部３７１の周りに種々の操作ボタン３７２を有している。操作ボタン３７２には、各種選択ボタン、スタート・決定ボタンおよび取消しボタンの他、加熱調理器１に対して各種動作を指令する種々のボタンが含まれている。スタート・決定ボタンは、予約調理を含む調理の開始を指示するための操作ボタンである。
【００２２】
表示部３７１は、操作ボタン３７２に対するユーザの操作等に応じて、ユーザが選択する各種情報を表示する。
【００２３】
（撹拌機構）
撹拌機構３３は、モータ３５に駆動されて回転し、調理中に内鍋１３内の食材を適宜撹拌する。撹拌機構３３は、内蓋３２における内鍋１３との対向面側に着脱可能に取り付けられ、２本の撹拌アーム３３１および回転体３３２を有する。撹拌アーム３３１は、回転体３３２に取り付けられ、撹拌機構３３の非使用時には倒伏状態（実線）となり、撹拌機構３３の使用時には起立状態（二点鎖線）となる。
【００２４】
（内鍋１３）
内鍋１３は、調理器本体部１１の内鍋収容部２１に配置される。内鍋１３には、料理の種類に応じて、調理対象となる食材（野菜、肉、魚、調味料等）が収容される。内鍋１３は、例えばアルミニウム等の高熱伝導部材で形成されている。
【００２５】
（加熱調理器の制御装置）
図３は、加熱調理器１の制御装置の構成を示すブロック図である。図３に示すように、加熱調理器１の制御装置は制御部３４を備え、制御部３４には、加熱部２２、温度センサ２３、重量センサ２４、モータ駆動回路３８、スピーカ駆動回路３９、操作・表示部３７、計時部４０および記憶部４１が接続されている。
【００２６】
モータ駆動回路３８は、制御部３４に制御されてモータ３５を駆動し、スピーカ駆動回路３９は、制御部３４に制御されてスピーカ３６を駆動する。計時部４０はタイマ機能を有し時間を計時する。
【００２７】
記憶部４１は、料理ごとの調理について、制御部３４が加熱部２２および撹拌機構３３等に対して行う制御内容の情報を記憶している。特に、加熱調理器１は予約調理により、多数の料理について調理の開始から終了まで自動的に行うようになっている。そこで、記憶部４１は、予約調理について、料理ごとの調理の開始から調理の完了までの加熱部２２および撹拌機構３３等に対して制御部３４が行う制御内容の情報（以下、予約調理情報と称する）を記憶している。予約調理情報には、料理ごとの適温保持期間（腐敗を防ぐための温度管理期間）の適温が含まれる。また、記憶部４１は、予約調理ではない通常調理について、料理ごとの調理の開始から調理の完了までの加熱部２２および撹拌機構３３等に対して制御部３４が行う制御内容の情報（以下、通常調理情報と称する）を記憶している。
【００２８】
また、記憶部４１は、操作ボタン３７２による各種設定や調理等の際のスピーカ３６による発話すべき情報を記憶している。
【００２９】
したがって、制御部３４は、記憶部４１が記憶している制御内容に従って、加熱部２２、モータ３５を駆動するモータ駆動回路３８、およびスピーカ３６を駆動するスピーカ駆動回路３９の動作を制御する。
【００３０】
具体的には、制御部３４は、記憶部４１が記憶している予約調理情報に基づいて、予約調理を実行するために各部を制御する。この場合、制御部３４は、食材の温度が予約調理情報に規定された所定の温度となるように、加熱部２２の動作を制御する。
【００３１】
制御部３４は、温度センサ２３が検知する内鍋１３の温度、重量センサ２４が検知する食材の重量、および加熱部２２による加熱時間によって、間接的に、内鍋１３内の食材の温度を検知する。
【００３２】
すなわち、加熱調理器１は、温度センサ２３が検知する温度、食材の重量および加熱時間と食材の温度とを対応付けたデータを記憶部４１に格納している。制御部３４は、上記データを参照して、温度センサ２３が検知する温度、食材の重量および加熱時間から、内鍋１３内の食材の温度を検知する。
【００３３】
したがって、本実施形態において、食材の温度を検出する温度検出部は、温度センサ２３、重量センサ２４および制御部３４によって構成される。なお、温度検出部の構成は、上記構成に限定されず、従来周知の種々の構成を適用可能である。また、食材の温度は、食材表面の温度であっても、食材内部の温度であってもよい。
【００３４】
（無水調理のための構成）
本実施形態の加熱調理器１は無水調理器である。無水料理器は、内鍋１３内の食材から生じた蒸気を結露させて内鍋１３内に戻し蒸気を循環させることにより、食材から出る水分だけで調理を行う調理器である。これにより、食材の栄養素や風味を活かした調理が可能となっている。加熱調理器１では、内蓋３２の透明材料からなる窓部３２ａが外蓋３１の開口部３１ｂに位置する。内鍋１３の食材から生じた水蒸気は、内蓋３２に付着し、冷却されて水滴になり、内鍋１３内に戻される。
【００３５】
（加熱調理器の動作）
上記の構成において、加熱調理器１の動作について以下に説明する。なお、調理完了時刻は予約時刻または予約時間完了時刻に相当するが、ここでは、調理完了時刻を予約時刻として説明する。
【００３６】
加熱調理器１は、例えば、カレー、ポトフ、牛すじを含む料理、肉じゃが、あるいはケーキ等、多数の料理を自動的に調理することができる。ユーザは、加熱調理器１を使用する際に、操作ボタン３７２を操作し、表示部３７１に表示されるメニューから調理する料理を選択し、かつ通常調理モードまたは予約調理モードを選択する。通常調理モードでは、加熱調理器１は、スタート・決定ボタンのオン後、通常に調理を開始し、調理が完了すると動作を終了する。予約調理モードでは、加熱調理器１は、予約時刻に調理が完了するように動作する。
【００３７】
図４は、予約調理モードにおける経過時間と食材の温度との関係を示すグラフである。なお、図４のグラフは、料理が例えばカレーである場合の経過時間に対する食材の温度の推移を示している。食材の温度の制御は、制御部３４が予約調理情報を参照し、加熱部２２の動作を制御することに行われる。
【００３８】
予約調理モードでは、調理開始時刻から予約時刻（予約調理の完了時刻）までの間に、調理期間、適温保持期間および仕上げ期間がこの順序にて存在する。仕上げ期間の後は保温期間である。なお、これら各期間には、撹拌機構３３を適宜動作させて食材を撹拌してもよい。各期間中、撹拌機構３３を連続して動作させてもよいし、断続的（例えば一定時間毎）に動作させてもよい。また、本実施形態の加熱調理器１では、調理開始時刻は予約調理の設定完了時刻となる。これらの点は、以下の他の実施形態の加熱調理器１においても同様である。
【００３９】
調理期間では、料理の種類に応じた食材の加熱調理を通常に行う。但し、料理の完了は、調理期間のみにて完了する構成、調理期間および下記の仕上げ期間を通じて完了する構成、あるいは調理期間、下記の適温保持期間および下記の仕上げ期間を経て完了する構成のいずれであってもよい。この点は、以下の他の実施形態の加熱調理器１においても同様である。
【００４０】
調理期間では、具体的には、調理開始後に食材を１００℃まで加熱して柔らかくし、その温度を所定時間維持した後、例えば加熱を停止して食材の温度を低下（例えば５５℃まで低下）させ、食材に調味料等の味を浸み込ませるようにしている。
【００４１】
適温保持期間では、食材の温度を料理ごとに設定された適温に保持する。適温保持期間の適温（温度）は、料理に応じて設定される温度であり、料理がさらに美味しくなるように食材を加熱する温度、かつ加熱のし過ぎによる食材の劣化を防止する温度である。また、食材（食品）が腐食し易い温度よりも高い温度である。
【００４２】
具体的には、肉を主とした料理（例えばビーフシチュー等）において、適温を比較的高い温度（例えば８５℃）とすることによって、肉を通常調理よりも柔らかいホロホロした食感にすることができる。一方、野菜を主とした料理（例えばポトフ等）において、適温を比較的低い温度（例えば６５℃）とすることによって、野菜の変色を抑制したり、野菜から味や水分が過度に流出することを抑制することができる。
【００４３】
なお、肉を主とした料理（例えばビーフシチュー等）での適温保持期間の適温は、８５℃に限定されず、７５℃以上９８℃以下、好ましくは７５℃以上９０℃以下、より好ましくは８０℃以上９０℃以下とすることができる。同様に、野菜を主とした料理（例えばポトフ等）での適温保持期間の適温は、６５℃に限定されず、５５℃以上７０℃未満、好ましくは６０℃以上６８℃以下、より好ましくは６２℃以上６８℃以下とすることができる。
【００４４】
図４の例では、調理期間の終了時点の温度が適温保持期間の適温よりも低いので、食材を再度加熱し、食材の温度を適温まで上昇させている。
【００４５】
仕上げ期間では、食材の温度が、予約時刻までに適温保持期間の適温よりも高い仕上げ温度（例えば９５〜１００℃）になるように、食材を加熱する。
【００４６】
保温期間では、加熱調理器１の動作の終了が指示されるまで、予約時刻以降も予約時刻の時点の温度を維持する。なお、制御部３４は、高温での保温期間が長くなる場合、食材の劣化が進むのを避けるため、保温期間に加熱部２２を適宜オンオフするなどの動作を行って食材の高温状態が継続されるのを回避するようにしてもよい。
【００４７】
また、予約調理では、予約時点から予約時刻までの時間は、通常、予約調理の設定毎に変化する。この場合、予約時点から予約時刻までの時間の変化には、調理期間および仕上げ期間の長さ（時間）は変化させず、適温保持期間の長さ（時間）を変化させることにより対応する。この点は、以下の他の実施形態においても同様である。
【００４８】
（加熱調理器の利点）
本実施形態の加熱調理器１では、調理期間にて、料理に応じて食材を加熱調理し、次に、適温保持期間にて、食材を料理に応じた適温（食材が腐食し易い温度よりも高い温度）に保持し、その後、仕上げ期間にて、予約時刻の直前に食材の温度を適温保持期間の適温よりも高い仕上げ温度に加熱している。
【００４９】
これにより、予約調理の予約時点から予約時刻までの間に内鍋１３内の食材が腐敗する事態を防止することができる。さらに、適温保持期間では、単に、内鍋１３内の食材の腐敗を防止するだけでなく、内鍋１３内の食材を料理に応じた適温に保持しているので、例えば肉を主とした料理における肉や、野菜を主とした料理における野菜をさらに良好な状態に調理することができる。
【００５０】
〔実施形態２〕
本発明の他の実施形態を図面に基づいて以下に説明する。なお、説明の便宜上、前記実施形態にて説明した部材と同じ機能を有する部材については、同じ符号を付記し、その説明を省略する。
【００５１】
（加熱調理器の構成および動作）
図５は、本実施形態の加熱調理器２の予約調理モードにおける経過時間と食材の温度との関係を示すグラフである。図５のグラフは、料理が例えばカレーである場合の経過時間に対する食材の温度の推移を示している。
【００５２】
本実施形態の加熱調理器２の予約調理モードでは、調理開始時刻から予約時刻までの間に、調理期間および適温保持期間がこの順序にて存在する。予約時刻の後は保温期間である。
【００５３】
図５に示す、予約調理モードでの制御部３４による温度制御では、図４に示した仕上げ期間を省略している。食材を調理する場合のこのような温度制御は、適温保持期間の適温が予約時刻（予約調理終了時点）での温度として許容できる程度に高い温度である場合、あるいは料理の種類が、適温保持期間の適温を予約時刻（予約調理終了時点）の温度として許容できる場合に使用可能である。
【００５４】
本実施形態の加熱調理器２の他の構成は、前述した実施形態の加熱調理器１と同様である。また、本実施形態の加熱調理器２の予約調理モードに関する構成は、他の実施形態の加熱調理器に対しても同様に適用可能である。
【００５５】
（加熱調理器の利点）
本実施形態の加熱調理器２では、調理期間にて、料理に応じて食材を加熱調理し、次に、予約時刻に到達するまで、適温保持期間にて、食材を料理に応じた適温（食材が腐食し易い温度よりも高い温度）に保持している。
【００５６】
これにより、予約調理の予約時点から予約時刻までの間に内鍋１３内の食材が腐敗する事態を防止することができる。さらに、適温保持期間では、単に、内鍋１３内の食材の腐敗を防止するだけでなく、内鍋１３内の食材を料理に応じた適温に保持しているので、例えば肉を主とした料理における肉や、野菜を主とした料理における野菜をさらに良好な状態に調理することができる。
【００５７】
〔実施形態３〕
本発明のさらに他の実施形態を図面に基づいて以下に説明する。なお、説明の便宜上、前記実施形態にて説明した部材と同じ機能を有する部材については、同じ符号を付記し、その説明を省略する。
【００５８】
（加熱調理器の構成および動作）
図６は、本実施形態の加熱調理器１の予約調理モードにおける経過時間と食材の温度との関係を示すグラフである。図６のグラフは、料理が例えば食材として牛すじを含む料理であり、調理開始時刻が７：００、予約時刻が１７：００である場合の経過時間に対する食材の温度の推移を示している。
【００５９】
図６に示すように、料理が食材として牛すじを含む料理である場合の予約調理モードでは、実施形態１の場合と同様、調理開始時刻から予約時刻までの間に、調理期間、適温保持期間および仕上げ期間がこの順序にて存在する。但し、適温保持期間は、第１適温保持期間と第２適温保持期間とに分かれている。これは、食材として牛すじを含む料理（例えば牛すじの煮込み）の場合、長時間（例えば２時間超）、高温（例えば８５℃）にて保温し続けると牛すじが黒く変色したりする。そこで、第１適温保持期間は適温８５℃にて２時間とし、その後の第２適温保持期間は適温を６５℃とすることによって、牛すじを柔らかい食感にしながら、牛すじが変色したりすることを抑制することができる。なお、第１適温保持期間の適温は、７５℃以上９８℃以下、好ましくは７５℃以上９０℃以下、より好ましくは８０℃以上９０℃以下としてもよい。また、第２適温保持期間の適温は、５５℃以上７０℃未満、好ましくは６０℃以上６８℃以下、より好ましくは６２℃以上６８℃以下としてもよい。
【００６０】
具体的には、料理が食材として牛すじを含む料理である場合の図６に示す予約調理モードでは、調理期間が１３０分（加加熱期間８０分（食材温度１００℃）、その後加熱部２２オフ）であり、第１適温保持期間が１２０分（適温（食材温度）８５℃）であり、第２適温保持期間が３２０分（適温（食材温度）６５℃）であり、仕上げ期間が３０分（食材温度１００℃）である。
【００６１】
なお、ここでの仕上げ期間は、第２適温保持期間の適温（６５℃）からの加熱により仕上げ期間の最終温度すなわち仕上げ温度（１００℃）に食材温度を昇温できるので、３０分としている。しかしながら、これに限定されず、仕上げ期間は、第２適温保持期間の適温（あるいは適温保持期間が一つのみの場合の適温）から仕上げ温度まで食材温度を昇温できるように、例えば９０分などに、適宜設定すればよい。この点は、予約調理モードに仕上げ期間を有する他の実施形態の加熱調理器１においても同様である。また、本実施形態の加熱調理器１の他の構成は、前述した実施形態１の加熱調理器１と同様である。
【００６２】
また、本実施形態において、予約調理ごとの予約時点から予約時刻までの時間の変化は、第２適温保持期間の長さ（時間）を変化させることにより対応する。また、予約時点から予約時刻までの時間が短く、第２適温保持期間を無くすだけでは対応しきれない場合には、さらに第１適温保持期間を短くする。
【００６３】
（加熱調理器の利点）
本実施形態の加熱調理器１では、調理期間にて、料理に応じて食材を加熱調理し、次に、予約時刻に到達するまで、第１および第２適温保持期間にて、食材を料理に応じた適温（食材が腐食し易い温度よりも高い温度）に保持している。
【００６４】
これにより、予約調理の予約時点から予約時刻までの間に内鍋１３内の食材が腐敗する事態を防止することができる。さらに、適温保持期間では、単に、内鍋１３内の食材の腐敗を防止するだけでなく、内鍋１３内の食材を料理に応じた適温に保持しているので、例えば肉を主とした料理における肉や、野菜を主とした料理における野菜をさらに良好な状態に調理することができる。
【００６５】
さらに、適温保持期間として互いに適温が異なる第１および第２適温保持期間を有しているので、適温保持期間において食材をさらに良好な状態に保持することができる。
【００６６】
〔実施形態４〕
本発明のさらに他の実施形態を図面に基づいて以下に説明する。なお、説明の便宜上、前記実施形態にて説明した部材と同じ機能を有する部材については、同じ符号を付記し、その説明を省略する。
【００６７】
（加熱調理器の構成および動作）
図７は、本実施形態の加熱調理器１の通常調理モードにおける経過時間と食材の温度との関係を示すグラフである。図８は、本実施形態の加熱調理器１の予約調理モードにおける経過時間と食材の温度との関係を示すグラフである。図７および図８のグラフは、料理がポトフである場合の制御部３４による温度制御である。
【００６８】
図７に示す通常調理モードでは、調理開始時点（スタート・決定ボタンオン時点）から調理期間となり、調理期間の後は保温期間となっている。なお、保温期間は特に無くてもよい。調理期間における昇温時の温度（１００℃）の加熱時間は４５分である。
【００６９】
一方、図８に示す予約調理モードでは、実施形態１の場合と同様、調理期間、適温保持期間および仕上げ期間がこの順序にて存在する。調理期間における昇温時の温度（１００℃）の加熱時間は、通常調理モードの場合よりも短く、１５分である。適温保持期間の適温は、料理がポトフの場合、低めの温度（６５℃）となる。
【００７０】
このように、予約調理モードでは、通常調理モードよりも調理期間での昇温時の加熱時間を短くしているのは、調理期間の後に適温保持期間と仕上げ期間とが存在することによる。すなわち、適温保持期間では、調理期間よりも低い温度ではあるが、調理期間より通常長い時間、食材が継続して加熱されるので、調理期間は通常調理モードの調理期間よりも短くするのが好ましい。
【００７１】
本実施形態の加熱調理器１の予約調理モードでの温度制御は、ポトフ以外の他の料理の調理においても適用可能である。また、本実施形態の加熱調理器１の構成は、他の実施形態の加熱調理器に対しても同様に適用可能である。さらに、本実施形態の加熱調理器１の他の構成は、前述した実施形態１の加熱調理器１の構成と同様である。
【００７２】
（加熱調理器の利点）
本実施形態の加熱調理器１では、調理期間にて、料理に応じて食材を加熱調理し、次に、適温保持期間にて、食材を料理に応じた適温（食材が腐食し易い温度よりも高い温度）に保持し、その後、仕上げ期間にて、予約時刻の直前に食材の温度を適温保持期間の温度よりも高い仕上げ温度に加熱している。また、予約調理モードでは、適温保持期間が存在することにより、通常調理モードの場合よりも調理期間が短くなっている。したがって、調理期間および適温保持期間を通した食材に対する加熱により料理を美味しく良好に仕上げることができる。本実施形態の加熱調理器１のその他の利点は、前述した実施形態１の加熱調理器１と同様である。
【００７３】
〔実施形態５〕
本発明のさらに他の実施形態を図面に基づいて以下に説明する。なお、説明の便宜上、前記実施形態にて説明した部材と同じ機能を有する部材については、同じ符号を付記し、その説明を省略する。
【００７４】
本実施形態の加熱調理器３は、予約調理を一旦設定した後に、例えば帰宅時間の変更等に応じて、調理完了時刻である予約時刻を変更可能な構成となっている。この場合、前述した調理期間と仕上げ期間との間の適温保持期間の変更は、調理の仕上がりに対する影響が小さいので、予約時刻が変更された場合、予約時刻の変更に応じて適温保持期間を変更するようになっている。
【００７５】
（通信システム）
図９は、本実施形態の加熱調理器３が組み込まれている通信システム１００の構成を示すブロック図である。なお、加熱調理器３は、前述した加熱調理器１にクラウドサーバ２００および携帯端末装置３００との通信機能を付加し、かつこれらと通信することにより、予約時刻の変更を可能とした構成である。本実施形態の加熱調理器３は、通信システム１００に組み込まれており、携帯端末装置３００によって予約時刻を変更可能となっている。
【００７６】
図９に示すように、通信システム１００は、加熱調理器３と、クラウドサーバ２００（サーバ）と、携帯端末装置３００と、無線ＬＡＮアクセスポイント１０１と、インターネット１０２（通信ネットワーク）と、データ通信ネットワーク１０３と、基地局１０４とを含んでいる。
【００７７】
加熱調理器３は、無線ＬＡＮ（Local Area Network）に接続して通信を行う機能を備えている。無線ＬＡＮアクセスポイント１０１は、加熱調理器３とともに建屋４００内に設置された電波中継機である。
【００７８】
クラウドサーバ２００は、加熱調理器３に関する情報、特に各種料理についての予約調理情報および通常調理情報を登録している。クラウドサーバ２００は、インターネット１０２に接続されており、インターネット１０２を介して加熱調理器３および携帯端末装置３００と通信することができる。
【００７９】
携帯端末装置３００は、スマートフォン、タブレットなどの携帯型の端末装置であり、無線ＬＡＮを含むインターネット通信の機能を備えている。
【００８０】
（加熱調理器３の制御システム）
加熱調理器３の制御システムは、図３に示した加熱調理器１の制御装置に通信部５１を加えた構成である。図１０は、加熱調理器３の制御システムの構成を示すブロック図である。なお、図１０では、図３に示した記憶部４１をＲＯＭ４１ａおよびＲＡＭ４１ｂとして示している。
【００８１】
図１０に示すように、加熱調理器３の制御部３４は、調理の予約時刻を予約設定する予約設定部１１０と、調理を制御する調理制御部１２０とを有している。調理制御部１２０の機能は前述の実施形態１〜４に示した制御部３４の機能に相当する。
【００８２】
予約設定部１１０は、操作・表示部３７を用いてユーザにより設定された調理の予約情報を受け付けて、クラウドサーバ２００に通知する。また、携帯端末装置３００による予約情報の変更要求を受けて、予約情報を変更する。予約設定部１１０は、これらの機能を実現するために、予約受付部１１１、予約登録部１１２および予約変更部１１３を有している。
【００８３】
予約受付部１１１は、ＲＯＭ４１ａに予め記憶されている予約調理情報から、ユーザによって指定された料理に対応する予約調理情報を読み出して、この予約調理情報と、ユーザによって設定（予約）された予約時刻の時刻データとを組み合わせた予約データ（予約情報）を生成する。また、予約受付部１１１は、生成した予約データをＲＡＭ４１ｂに書き込む。
【００８４】
予約登録部１１２は、予約受付部１１１によって生成された予約データをクラウドサーバ２００に登録するために、通信部５１により予約データをクラウドサーバ２００へ送信するように通信部５１を制御する。
【００８５】
予約変更部１１３は、携帯端末装置３００から予約時刻の変更の要求を受けたとき、時刻データで規定される予約時刻が、変更可能であるか否かを判定する。予約変更部１１３は、予約時刻の変更が変更可能な時間条件を満たすときに、ＲＡＭ４１ｂに記憶されている時刻データを要求に応じて書き替えるとともに、クラウドサーバ２００へ予約時刻を変更したことを通知（変更完了通知）するように通信部５１を制御する。また、予約変更部１１３は、予約時刻の変更が変更可能な時間条件を満たさないために不可であるときに、クラウドサーバ２００へ予約時刻の変更が不可であることを通知（変更不可通知）するように通信部５１を制御する。
【００８６】
また、予約変更部１１３は、ユーザが操作・表示部３７を操作することでも、予約時刻の変更が変更可能な時間条件を満たすときに、ＲＡＭ４１ｂに記憶されている時刻データを要求に応じて書き替えるとともに、予約時刻を変更したメッセージを表示部３７１に表示させる。
【００８７】
調理制御部１２０は、ＲＡＭ４１ｂに記憶されている予約データの予約調理情報に基づいて、調理を実行するために各部を制御する。この場合の調理制御部１２０の動作は、前述した実施形態の制御部３４の動作と同様である。また、調理制御部１２０は、調理における時間管理を行うために、時間管理部１２１を有している。
【００８８】
調理制御部１２０は、調理が終了したことをクラウドサーバ２００へ通知するように通信部５１を制御する。
【００８９】
（クラウドサーバ）
図１１は、クラウドサーバ２００のシステム構成を示すブロック図である。図１１に示すように、クラウドサーバ２００は、インターネット１０２を介して加熱調理器３および携帯端末装置３００のいずれとも通信が可能である。また、クラウドサーバ２００は、サーバコンピュータであり、記憶装置２０１と、通信部２０２とを備えている。記憶装置２０１は、予約データをユーザごとに記憶している。また、クラウドサーバ２００は、予約データを管理するために、予約データ管理部２０３を備えている。
【００９０】
予約データ管理部２０３は、予約データ取得部２０３ａと、予約データ提供部２０３ｂと、中継処理部２０３ｃとを有している。
【００９１】
予約データ取得部２０３ａは、加熱調理器３から送信されて通信部２０２によって受信された予約データを取得して、記憶装置２０１に書き込む。
【００９２】
予約データ提供部２０３ｂは、携帯端末装置３００から予約データの送信の要求を受けたときに、記憶装置２０１から読み出した予約データを携帯端末装置３００に送信するように通信部２０２を制御する。
【００９３】
中継処理部２０３ｃは、加熱調理器３と携帯端末装置３００との間のデータのやり取りを中継する。具体的には、中継処理部２０３ｃは、携帯端末装置３００からの時刻データの変更要求を加熱調理器３に転送するように通信部２０２を制御する。また、中継処理部２０３ｃは、加熱調理器３から送信された、時刻データの変更完了通知および時刻データの変更不可通知を携帯端末装置３００に転送するように通信部２０２を制御する。さらに、中継処理部２０３ｃは、時刻データの変更完了通知を受けると、記憶装置２０１における予約データ（時刻データ）を変更後の内容に書き替える。
【００９４】
（携帯端末装置のハードウェア構成）
図１２は、携帯端末装置３００のハードウェア構成を示すブロック図である。携帯端末装置３００は、専用のＯＳ（Operating System）を実装した通信端末装置であり、以下のように、アプリケーションプログラムを実行する環境を備えている。
【００９５】
図１２に示すように、携帯端末装置３００は、ＣＰＵ（Central Processing Unit）３０１と、ＲＡＭ（Random Access Memory）３０２と、ＲＯＭ（Read Only Memory）３０３と、補助メモリ３０４と、表示パネル３０５（表示部）と、タッチパネルを３０６と、スピーカ３０７と、通信部３０８とを備えている。
【００９６】
ＣＰＵ３０１は、携帯端末装置３００のシステムプログラムを実行する処理装置である。具体的には、ＣＰＵ３０１は、システムプログラムの実行に際して、ＲＡＭ３０２、補助メモリ３０４、タッチパネル３０６などからデータを受け取り、当該データに対して演算または加工を施した結果を、ＲＡＭ３０２、補助メモリ３０４、表示パネル３０５などに出力する。
【００９７】
ＲＡＭ３０２は、携帯端末装置３００における主記憶装置を構成するメモリであり、ＤＲＡＭ（Dynamic Random Access Memory）などによって構成される。
【００９８】
ＲＯＭ３０３は、システムプログラムの他、携帯端末装置３００の起動時やリセット時に実行されるＢＩＯＳ（Basic Input Output System）などの、携帯端末装置３００の動作に不可欠なプログラムを記憶している。
【００９９】
補助メモリ３０４は、アプリケーションプログラムを記憶するために設けられている。補助メモリ３０４は、例えばフラッシュメモリによって構成されている。
【０１００】
表示パネル３０５は、携帯端末装置３００の基本操作を実現するための画面、アプリケーションプログラムが実行された結果として表示される画面などを表示するために設けられている。表示パネル３０５としては、液晶表示パネル、ＥＬ（Electro-Luminescence）表示パネルなどの平板型表示パネルが用いられる。
【０１０１】
タッチパネル３０６は、表示パネル３０５上に配置されており、表示パネル３０５に表示された画面上でのタッチ操作を受け入れて、タッチ操作信号を入力信号として出力する。
【０１０２】
スピーカ３０７は、携帯端末装置３００の操作音、アプリケーションプログラムが実行された結果として出力される音声などを出力するために設けられている。
【０１０３】
通信部３０８は、インターネット１０２を介した通信および携帯電話ネットワークを介した通信を行うための通信回路を含む部分である。
【０１０４】
（携帯端末装置のシステム構成）
図１３は、携帯端末装置３００のシステム構成を示すブロック図である。図１３に示すように、携帯端末装置３００は、予約変更処理を行うための予約変更処理部３１０を有している。予約変更処理部３１０は、予約変更受付部３１１（取得部）と、時刻変更設定部３１２（変更要求生成部）とを有している。
【０１０５】
予約変更受付部３１１は、予約変更処理部３１０の起動時に、クラウドサーバ２００から予約データを取得して、ＲＡＭ３０２に書き込んでおく。予約変更受付部３１１は、ＲＡＭ３０２に記憶されている予約データに基づいて、予約されている料理および予約時刻を表示するための後述する予約料理画面３２０（図１５の（ａ）参照）を表示する。また、予約変更受付部３１１は、予約調理情報に基づいて、予約されている料理の詳細を表示するための後述する料理詳細画面３３０（図１５の（ｂ）参照）を表示する。また、予約変更受付部３１１は、当該料理詳細画面３３０における予約時刻の変更の操作を受けて、時刻変更設定部３１２に予約時刻変更の要求があったことを通知する。
【０１０６】
時刻変更設定部３１２は、予約変更受付部３１１からの上記の通知を受けると、予約データの時刻データに基づいて、予約時刻を変更する変更要求を生成する。時刻変更設定部３１２は、変更要求を生成するために、後述する予約時刻変更画面３４０（図１５の（ｃ）参照）を表示するように表示パネル３０５を制御する。また、時刻変更設定部３１２は、予約時刻変更画面３４０上でのユーザの操作によって時刻の変更が決定されると、変更された時刻データＴＤをクラウドサーバ２００に送信するように通信部３０８を制御する。
【０１０７】
（通信システムによる予約時刻変更動作）
上記の構成においえ、通信システム１００による予約時刻を変更する動作について説明する。図１４は、携帯端末装置３００による予約時刻変更の処理手順を示すフローチャートである。図１５の（ａ）〜（ｅ）は携帯端末装置３００によって表示される各画面を示す図である。
【０１０８】
まず、加熱調理器３が無線ＬＡＮアクセスポイント１０１に接続されている必要がある。このため、ユーザは、操作・表示部３７の表示部３７１に表示されるガイドメッセージにしたがって、接続のための手続を行う。具体的には、ユーザは、表示部３７１に表示される、無線ＬＡＮのオン・オフを選択する画面、無線ＬＡＮアクセスポイント１０１への接続に同意を求める画面、接続動作の指示入力を促す画面において、スタート・決定ボタンを操作することで、接続のための手続を実行する。
【０１０９】
加熱調理器３がこのようにして無線ＬＡＮアクセスポイント１０１に接続された状態で、ユーザが予約時刻を設定してスタート・決定ボタンを操作すると、予約受付部１１１は、予約データを、通信部５１に、予約時刻および最長可能予約時刻などの情報と併せてクラウドサーバ２００へ送信させる。これにより、クラウドサーバ２００には、予約データが登録される。最長可能予約時刻は、加熱開始時刻（調理開始時刻）から、加熱調理器３に上限時間として設定されている例えば１５時間後の時刻である。
【０１１０】
このような状態で、携帯端末装置３００において予約変更処理部３１０が起動すると、予約変更処理部３１０は、図１４のフローチャートに示す手順にしたがって、予約変更処理を実行する。
【０１１１】
まず、予約変更受付部３１１は、図１５の（ａ）に示す予約料理画面３２０を表示パネル３０５に表示させる（ステップＳ１）。予約料理画面３２０は、予約された料理（予約料理）の名称を明示する料理名表示部３２０ａを有している。料理名表示部３２０ａは、料理詳細画面３３０を呼び出すために、料理詳細画面３３０とリンクされている。
【０１１２】
次いで、予約変更受付部３１１は、予約料理画面３２０上で予約料理が選択されたか否かを判定する（ステップＳ２）。予約料理の選択は、ユーザが予約料理画面３２０上で料理名表示部３２０ａをタップすることで行われる。予約変更受付部３１１は、予約料理が選択されるまで待機する（ステップＳ２のＮＯ）。
【０１１３】
予約変更受付部３１１は、予約料理画面３２０上で予約料理が選択されたと判定すると（ステップＳ２のＹＥＳ）、図１５の（ｂ）に示す料理詳細画面３３０を表示パネル３０５に表示させる（ステップＳ３）。料理詳細画面３３０は、予約料理の詳細（人数、材料、カロリーなど）を明示するとともに、予約時刻の変更を指示するための指示ボタン３３０ａを有している。
【０１１４】
次いで、予約変更受付部３１１は、料理詳細画面３３０上で指示ボタン３３０ａが操作されることによって時刻変更が指示されたか否かを判定する（ステップＳ４）。予約変更受付部３１１は、時刻変更が指示されるまで待機する（ステップＳ４のＮＯ）。
【０１１５】
予約変更受付部３１１が、料理詳細画面３３０上で時刻変更が指示されたと判定すると（ステップＳ４のＹＥＳ）、時刻変更設定部３１２は、図１５の（ｃ）に示す予約時刻変更画面３４０を表示パネル３０５に表示させる（ステップＳ５）。
【０１１６】
予約時刻変更画面３４０は、予約時刻変更画面３４０上でのＸ１方向へのフリック操作（スクロール操作）によって、表示される時刻が戻る方向に予約時刻変更画面３４０を移動させる。一方、予約時刻変更画面３４０は、予約時刻変更画面３４０上でのＸ２方向へのフリック操作によって、表示される時刻が進む方向に予約時刻変更画面３４０を移動させる。また、予約時刻変更画面３４０は、ユーザによって指定された時刻を変更すべき予約時刻（変更時刻）として決定するための決定ボタン３４０ａを有している。
【０１１７】
また、予約時刻変更画面３４０は、予約時刻の変更が可能な後述する時間範囲を明示している。このため、時刻変更設定部３１２（時間範囲表示制御部）は、予約を変更しようとしている現在時刻を基準として、後述する予約変更部１１３が定める上記の時間範囲を算出して、当該時間範囲を表示パネル３０５に表示させる。
【０１１８】
次いで、時刻変更設定部３１２は、予約時刻変更画面３４０上で決定ボタン３４０ａが操作されることによって、指定された時刻が変更時刻として決定されたか否かを判定する（ステップＳ６）。時刻変更設定部３１２は、変更時刻が決定されるまで待機する（ステップＳ６のＮＯ）。
【０１１９】
時刻変更設定部３１２が、指定された時刻が変更時刻として決定されたと判定すると（ステップＳ６のＹＥＳ）、通信部５１は、時刻変更設定部３１２の制御によって、当該変更時刻のデータ（変更時刻データ）をクラウドサーバ２００に送信する（ステップＳ７）。
【０１２０】
ここで、クラウドサーバ２００は、受信した変更時刻データを時刻データの変更要求として受けて、中継処理部２０３ｃによって加熱調理器３に転送する。加熱調理器３において、予約変更部１１３は、受信した変更時刻データから、変更時刻の受け付けが可能であるか否かを判定する。予約変更部１１３は、具体的には、以下のように（１）〜（３）のそれぞれの場合に規定される時間範囲に変更時刻があるか否かで、変更時刻の受け付けが可能であるか否かを判定する。また、予約変更部１１３は、（４）の場合には、予約変更の可能な時間範囲外であるため、変更を受け付けない。なお、現在時刻は、予約時刻の変更を要求した時点の時刻であり、加熱終了時刻は前述した調理期間の終了時刻である。
【０１２１】
図１６には、上記（１）〜（４）の場合の現在時刻（予約変更時点）と予約変更可能な範囲との関係を図示した。
【０１２２】
（１）現在時刻から加熱調理終了時刻まで１時間以上ある場合
加熱調理終了時刻から最長可能予約時刻までの時間範囲
（２）現在時刻から加熱調理終了時刻まで１時間未満である場合
現在時刻から１時間後より最長可能予約時刻までの時間範囲
（３）現在時刻が加熱調理終了時刻から変更締切時刻（予約時刻の３０分前）までの間の時刻である場合
現在時刻から１時間後より最長可能予約時刻までの時間範囲
（４）現在時刻が変更締切時刻以降の時刻である場合
変更不可
例えば、朝７時に予約時刻１４時で予約（加熱調理終了時刻：１０時）を開始した場合、予約時刻の変更が受け付け可能となるのは、７時から１３時３０分までである。
【０１２３】
なお、加熱調理器３は、加熱調理終了時刻より手前の時刻への予約時刻の変更は受け付けない。加熱調理終了時刻より手前の時刻への予約時刻の変更指示が入力された場合、加熱調理器３は、ピピッという報知音を発し、予約時刻を自動的に加熱調理終了時刻へ変更する。
【０１２４】
例えば、現在時刻７時３０分に予約時刻の変更作業を行う場合、加熱調理終了時刻と現在時刻との差が１時間以上であることから、（１）の場合に相当するので、予約時刻の変更可能範囲は、１０時から２２時までとなる。
【０１２５】
また、現在時刻９時２０分に変更作業を行う場合、加熱調理終了時刻と現在時刻との差が１時間未満であることから、（２）の場合に相当するので、予約時刻の変更可能範囲は、１０時２０分から２２時までとなる。
【０１２６】
さらに、現在時刻１１時に予約時刻を変更する場合、（３）の場合に相当するので、予約変時刻の変更更可範囲は、１２時から２２時までとなる。
【０１２７】
予約変更部１１３は、変更時刻の受け付け（予約事項の変更）が不可であると判定した場合、変更不可通知を生成する。一方、変更時刻の受け付けが可能であると判定した場合、ＲＡＭ４１ｂにおける時刻データの予約時刻を変更時刻に書き替えて、変更完了通知を生成する。通信部５１は、予約変更部１１３からの変更完了通知または変更不可通知をクラウドサーバ２００に送信すると、クラウドサーバ２００は、受信した変更完了通知または変更不可通知を、中継処理部２０３ｃによって携帯端末装置３００に転送する。
【０１２８】
携帯端末装置３００において、予約変更受付部３１１は、所定時間内に変更不可通知を受信したか否かを判定する（ステップＳ８）。予約変更受付部３１１は、所定時間内に変更不可通知を受信したと判定すると（ステップＳ８のＹＥＳ）、図１５の（ｄ）に示すエラー通知画面３５０を表示パネル３０５に表示させる（ステップＳ９）。エラー通知画面３５０は、設定時間が誤りであるため、再設定を促すメッセージを明示している。
【０１２９】
予約変更受付部３１１は、所定時間内に変更不可通知を受信したと判定すると（ステップＳ８のＮＯ）、変更完了通知を受信したか否かを判定する（ステップＳ１０）。予約変更受付部３１１は、変更完了通知が受信されるまで待機する（ステップＳ１０のＮＯ）。
【０１３０】
予約変更受付部３１１は、変更完了通知を受信したと判定すると（ステップＳ１０のＹＥＳ）、図１５の（ｅ）に示す変更完了通知画面３６０を表示パネル３０５に表示させて（ステップＳ１１）、処理を終える。変更完了通知画面３６０は、予約時刻を変更したことを通知するメッセージを明示している。
【０１３１】
以上のように、本実施形態に係る通信システム１００において、加熱調理器３は、インターネット１０２に接続されるクラウドサーバ２００を介して携帯端末装置３００と通信可能に設けられている。また、加熱調理器３は、予約時刻をクラウドサーバ２００に登録しておくことで、携帯端末装置３００が、クラウドサーバ２００から予約時刻を取得して予約時刻の変更を要求すると、その要求をクラウドサーバ２００経由で受けて、予約時刻を変更する。 
【０１３２】
これにより、帰宅予定が変わるなどの理由によって予約時刻を変更したい場合に、外出先から携帯端末装置３００を操作することによって予約時刻を変更することができる。また、携帯端末装置３００は、無線ＬＡＮアクセスポイント１０１にも接続可能であるので、建屋４００内において、加熱調理器３が設置された部屋とは異なる場所から、予約時刻を変更することができる。これにより、わざわざ加熱調理器３が設置された部屋に行って予約時刻を変更する必要がなくなる。
【０１３３】
また、予約時刻の変更要求をそのまま受け付けると、調理仕上がりの状態に加熱過多や加熱不足といった不具合が生じる虞がある。そこで、携帯端末装置３００の変更要求に対して、上述のように予約時刻の予約料理の調理に支障を来さないと想定される時間範囲でしか予約時刻を変更できないように変更に制限を設けている。これにより、上記のような調理仕上がりの状態に不都合が生じることを抑制できる。
【０１３４】
〔実施形態６〕
本実施形態の加熱調理器１（加熱調理器２〜３についても同様）を使用する場合の特に好ましい料理の例について説明する。
【０１３５】
例えば、一般の鍋を使用して、栗きんとんを作る場合、（１）鍋で食材であるさつまいもを茹でる、（２）鍋の湯を捨てる、（３）茹でたさつまいもを潰して練り上げるという各工程が必要である。
【０１３６】
一方、本実施形態の加熱調理器１は、無水調理が可能であり、食材を加熱し、食材を撹拌機構３３にて撹拌することができる。したがって、栗きんとんを作る場合、上記（１）〜（３）の一連の工程を自動的に行うことができる。
【０１３７】
具体的には、加熱調理器１では、無水調理によるゆで機能にて、さつまいもを加熱し、さつまいもと調味料が含んでいる水分のみでさつまいもを茹でることができる。したがって、上記（２）湯を捨てる、という工程が不要となる。また、茹でて柔らかくなったさつまいもを撹拌機構３３により撹拌して潰し、かつ加熱しながら練り上げることができる。したがって、加熱調理器１を使用して栗きんとんを作る場合、加熱調理器１にさつまいもと調味料を入れてスイッチを押すだけで、上記（１）〜（３）の工程が完了する。
【０１３８】
加熱調理器１の無水調理機能および撹拌機構３３を使用してできる料理は、その他、マッシュポテトやスイートポテトの生地などがある。また、無水調理ではないもの、撹拌機構３３を使用してできる料理にはポタージュなどがある。ポタージュは、加熱調理器１の内鍋１３に食材、水および調味料を加え、食材を茹でた後に撹拌機構３３にて潰すことにより、食材を自動的にスープ状にすることができる。
【０１３９】
本発明は上述した実施形態に限定されるものではなく、種々の変更が可能であり、実施形態に開示された技術的手段を適宜組み合わせて得られる実施形態についても本発明の技術的範囲に含まれる。さらに、実施形態に開示された技術的手段を組み合わせることにより、新しい技術的特徴を形成することができる。
【０１４０】
〔まとめ〕
本発明の態様１に係る加熱調理器は、食材を収容する容器（内鍋１３）と、前記容器を加熱する加熱部２２と、前記食材の温度を検出する温度検出部（温度センサ２３、重量センサ２４および制御部３４）と、前記加熱部２２の動作を制御する加熱制御部（制御部３４）とを備え、予約調理を行う加熱調理器において、前記予約調理での料理ごとの前記加熱制御部による前記加熱部２２の制御内容、および前記食材が腐食し易い温度よりも高い、料理ごとの適温保持期間の適温を示す予約調理情報を記憶する記憶部４１を備え、前記加熱制御部は、前記予約調理の際に、設定された料理に応じた前記予約調理情報を参照し、調理中の期間の順序として、まず前記食材を加熱調理する調理期間を設け、次に前記食材を前記適温に保温する前記適温保持期間を設ける。
【０１４１】
上記構成によれば、調理期間にて、料理に応じて食材を加熱調理し、次に、適温保持期間にて、食材を料理に応じた適温（食材が腐食し易い温度よりも高い温度）に保持する。
【０１４２】
これにより、食材の調理中に食材が腐敗する事態を防止することができる。また、適温保持期間では、単に、食材の腐敗を防止するだけでなく、食材を料理に応じた適温に保持しているので、例えば肉を主とした料理における肉や、野菜を主とした料理における野菜をさらに良好な状態に調理することができる。
【０１４３】
本発明の態様２に係る加熱調理器は、上記態様１において、前記加熱制御部（制御部３４）は、前記予約調理の際に、設定された料理に応じた前記予約調理情報を参照し、前記適温保持期間の次に、予約調理の完了時刻に前記食材の温度を仕上げ温度に昇温した状態とする構成としてもよい。
【０１４４】
上記構成によれば、予約調理の完了時刻には、食材の温度が調理の仕上げ温度となる。したがって、ユーザは、予約調理の完了時刻に、仕上げ温度に昇温された料理を食することができる。
【０１４５】
本発明の態様３に係る加熱調理器は、上記態様１または２において、前記適温保持期間の前記適温は、肉を主とした料理の調理の場合は、野菜を主とした料理の調理の場合よりも高温となっている構成としてもよい。
【０１４６】
上記構成によれば、適温保持期間の適温は、肉を主とした料理（例えば食材として牛すじを含む料理）の調理の場合は、野菜を主とした料理の調理（例えばポトフ）の場合よりも高温となっている。これにより、肉を主とした料理、および野菜を主とした料理のそれぞれについて、調理期間および適温保持期間を通して良好な調理を行うことができる。
【０１４７】
本発明の態様４に係る加熱調理器は、上記態様１から３のいずれか一態様において、前記加熱制御部（制御部３４）は、前記適温保持期間として、第１適温保持期間および前記第１適温保持期間に続く第２適温保持期間を設け、前記第１適温保持期間の適温は第２適温保持期間の適温よりも高くなっている構成としてもよい。
【０１４８】
上記構成によれば、第１適温保持期間では、食材を相対的に高い適温に保持し、第２適温保持期間では、食材を相対的に低い適温に保持する。これにより、例えば肉を主とした料理（例えば食材として牛すじを含む料理）の調理をする場合に、第１適温保持期間にてさらに食材（例えば肉）を柔らかくすることができる。また、第１適温保持期間の長さを料理に応じて設定することにより、第１適温保持期間にて食材（例えば肉）を加熱し過ぎて食材が変色したりするといった事態を防止することができる。この結果、調理期間から第１および第２第１適温保持期間を通して、食材をさらに良好に調理することができる。
【０１４９】
本発明の態様５に係る加熱調理器は、上記態様１から４のいずれか一態様において、前記予約調理に加えて、予約を要せず、前記調理期間の後に前記適温保持期間を設けない通常調理が可能であり、前記記憶部４１は、前記通常調理での料理ごとの前記加熱制御部（制御部３４）による前記加熱部２２の制御内容を示す通常調理情報を記憶しており、前記予約調理の前記調理期間は、前記通常調理の前記調理期間よりも短くなっている構成としてもよい。
【０１５０】
上記構成によれば、予約調理では、料理に応じた適温保持期間を設けることにより、調理期間が通常調理の調理期間よりも短くなっている。これにより、例えば、ポトフ等の野菜を主とした調理において、適温保持期間を設けたことにより、食材が柔らかくなり過ぎたり、変色したりするといった事態を防止し、調理期間および適温保持期間を通じて良好な調理が可能となる。
【０１５１】
本発明の態様６に係る加熱調理器は、上記態様１から３のいずれか一態様において、前記適温保持期間の前記適温は、肉を主とした料理の調理では７５℃以上９８℃以下とする構成としてもよい。
【０１５２】
上記の構成によれば、適温保持期間の適温は、肉を主とした料理、例えば食材として牛すじを含む料理の調理では７５℃以上９８℃以下となる。これにより、適温保持期間によって肉をさらに柔らかく良好な状態に仕上げることができる。
【０１５３】
本発明の態様７に係る加熱調理器は、上記態様１から３のいずれか一態様において、前記適温保持期間の前記適温は、野菜を主とした料理の調理では５５℃以上７０℃未満とする構成としてもよい。
【０１５４】
上記の構成によれば、適温保持期間の適温は、野菜を主とした料理、例えばポトフの調理では５５℃以上７０℃未満となる。これにより、適温保持期間によって野菜が柔らかくなり過ぎたり、変色したりすることなく、料理を良好な状態に仕上げることがでる。
【０１５５】
また、本発明の各態様に係る加熱調理器は、コンピュータによって実現してもよく、この場合には、コンピュータを加熱調理器が備える加熱制御部として動作させることにより加熱調理器をコンピュータにて実現させるプログラム、及びそれを記録したコンピュータ読み取り可能な記録媒体も本発明の範疇に入る。
【符号の説明】
【０１５６】
１，２    加熱調理器
１１    調理器本体部
１２    蓋体
１３    内鍋（容器）
２１    内鍋収容部
２２    加熱部
２３    温度センサ（温度検出部）
２４    重量センサ（温度検出部）
３１    外蓋
３２    内蓋
３３    撹拌機構
３４    制御部（加熱制御部、温度検出部）
３５    モータ
３６    スピーカ
３７    操作・表示部
３７１  表示部
３７２  操作ボタン
【図１】
2019053911.tif 000003
【図２】
2019053911.tif 000004
【図３】
2019053911.tif 000005
【図４】
2019053911.tif 000006
【図５】
2019053911.tif 000007
【図６】
2019053911.tif 000008
【図７】
2019053911.tif 000009
【図８】
2019053911.tif 000010
【図９】
2019053911.tif 000011
【図１０】
2019053911.tif 000012
【図１１】
2019053911.tif 000013
【図１２】
2019053911.tif 000014
【図１３】
2019053911.tif 000015
【図１４】
2019053911.tif 000016
【図１５】
2019053911.tif 000017
【図１６】
2019053911.tif 000018
【国際調査報告】
2019053911.tif 000019
2019053911.tif 000020